【手続補正書】
【提出日】平成16年2月25日(2004.2.25)
【手続補正１】
【補正対象書類名】明細書
【補正対象項目名】発明の名称
【補正方法】変更
【補正の内容】
【発明の名称】タッチパネル入力装置、オーディオ装置及び入力方法


【手続補正２】
【補正対象書類名】明細書
【補正対象項目名】特許請求の範囲
【補正方法】変更
【補正の内容】
【特許請求の範囲】
【請求項１】
電子機器に対応して設けられ、タッチ操作によりタッチパネルから入力される軌跡データを検出する検出手段と、
前記電子機器の動作指示を行うコマンドと、軌跡データのパターンである軌跡データパターンとを対応付けて記憶する記憶手段と、
前記記憶手段に記憶されたコマンド及び軌跡データパターンを参照し、前記タッチパネルから入力された軌跡データと一致する軌跡データパターンを検出するとともに、該軌跡データパターンに対応付けられたコマンドを読み出す読出手段と、
前記読出手段により読み出されたコマンドを前記電子機器に出力する出力手段と、
を備えたことを特徴とするタッチパネル入力装置。
【請求項２】
前記読出手段は、
前記軌跡データの入力開始位置及びリリース位置が所定の領域内で一致する場合、タッチ入力が点であると検出してこれに対応する所定のコマンドを読み出すことを特徴とする請求項１記載のタッチパネル入力装置。
【請求項３】
電子機器に対応して設けられ、タッチ操作によりタッチパネルから入力される入力開始位置及びリリース位置を検出する検出手段と、
前記電子機器の動作指示を行うコマンドと、前記入力開始位置及びリリース位置によるパターンとを対応付けて記憶する記憶手段と、
前記記憶手段に記憶されたコマンド及びパターンを参照し、前記タッチパネルから入力されたパターンを検出するとともに、該パターンに対応付けられたコマンドを読み出す読出手段と、
前記読出手段により読み出されたコマンドを前記電子機器に出力する出力手段と、
を備えたことを特徴とするタッチパネル入力装置。
【請求項４】
前記読出手段は、
前記入力開始位置及びリリース位置が所定の領域内で一致する場合、タッチ入力が点であると検出してこれに対応する所定のコマンドを読み出すことを特徴とする請求項３記載のタッチパネル入力装置。
【請求項５】
タッチパネルを用いて動作指示を行うオーディオ装置であって、
タッチ操作によりタッチパネルから入力される軌跡データを検出する検出手段と、
当該オーディオ装置の動作指示を行うコマンドと、軌跡データのパターンである軌跡データパターンとを対応付けて記憶する記憶手段と、
前記記憶手段に記憶されたコマンド及び軌跡データパターンを参照し、前記タッチパネルから入力された軌跡データと一致する軌跡データパターンを検出するとともに、該軌跡データパターンに対応付けられたコマンドを読み出す読出手段と、
前記読出手段により読み出されたコマンドを出力する出力手段と、を備え
前記出力手段から出力されたコマンドに基づいて当該オーディオ装置の動作制御を行うことを特徴とするオーディオ装置。
【請求項６】
タッチパネルを用いて動作指示を行うオーディオ装置であって、
タッチ操作によりタッチパネルから入力される入力開始位置及びリリース位置を検出する検出手段と、
当該オーディオ装置の動作指示を行うコマンドと、前記入力開始位置及びリリース位置によるパターンとを対応付けて記憶する記憶手段と、
前記記憶手段に記憶されたコマンド及びパターンを参照し、前記タッチパネルから入力されたパターンを検出するとともに、該パターンに対応付けられたコマンドを読み出す読出手段と、
前記読出手段により読み出されたコマンドを出力する出力手段と、を備え、
前記出力手段から出力されたコマンドに基づいて当該オーディオ装置の動作制御を行うことを特徴とするオーディオ装置。
【請求項７】
電子機器に対応して設けられ、タッチ操作によりタッチパネルから入力される軌跡データを検出する検出工程と、前記電子機器の動作指示を行うコマンドと対応付けて記憶された前記軌跡データのパターンである軌跡データパターンを参照し、前記タッチパネルから入力された軌跡データと一致する軌跡データパターンを検出するとともに、該軌跡データパターンに対応付けられたコマンドを読み出す読出工程と、前記読み出されたコマンドを前記電子機器に出力する出力工程と、を含むことを特徴とする入力方法。
【請求項８】
電子機器に対応して設けられ、タッチ操作によりタッチパネルから入力される入力開始位置及びリリース位置を検出する検出工程と、
前記電子機器の動作指示を行うコマンドと対応付けて記憶された前記入力開始位置及びリリース位置によるパターンを参照し、前記タッチパネルから入力されたパターンを検出するとともに、該パターンに対応付けられたコマンドを読み出す読出工程と、
前記読み出されたコマンドを前記電子機器に出力する出力工程と、
を含むことを特徴とする入力方法。
【手続補正３】
【補正対象書類名】明細書
【補正対象項目名】０００５
【補正方法】変更
【補正の内容】
【０００５】
そこで、本発明の課題は、タッチパネルを目視せずに適確な入力を行うことができるタッチパネル入力装置、オーディオ装置及び入力方法を提供することである。


【手続補正４】
【補正対象書類名】明細書
【補正対象項目名】０００７
【補正方法】変更
【補正の内容】
【０００７】
本発明は、電子機器に対応して設けられ、タッチ操作によりタッチパネルから入力される軌跡データを検出する検出手段と、前記電子機器の動作指示を行うコマンドと、軌跡データのパターンである軌跡データパターンとを対応付けて記憶する記憶手段と、前記記憶手段に記憶されたコマンド及び軌跡データパターンを参照し、前記タッチパネルから入力された軌跡データと一致する軌跡データパターンを検出するとともに、該軌跡データパターンに対応付けられたコマンドを読み出す読出手段と、前記読出手段により読み出されたコマンドを前記電子機器に出力するコマンド出力手段と、を備えたことを特徴としている。
本発明において、前記読出手段は、前記軌跡データの入力開始位置及びリリース位置が所定の領域内で一致する場合、タッチ入力が点であると検出してこれに対応する所定のコマンドを読み出すことが好ましい。
また、本発明は、電子機器に対応して設けられ、タッチ操作によりタッチパネルから入力される入力開始位置及びリリース位置を検出する検出手段と、前記電子機器の動作指示を行うコマンドと、前記入力開始位置及びリリース位置によるパターンとを対応付けて記憶する記憶手段と、前記記憶手段に記憶されたコマンド及びパターンを参照し、前記タッチパネルから入力されたパターンを検出するとともに、該パターンに対応付けられたコマンドを読み出す読出手段と、前記読出手段により読み出されたコマンドを前記電子機器に出力する出力手段と、を備えたことを特徴としている。
本発明において、前記読出手段は、前記入力開始位置及びリリース位置が所定の領域内で一致する場合、タッチ入力が点であると検出してこれに対応する所定のコマンドを読み出すことが好ましい。
また、本発明は、タッチパネルを用いて動作指示を行うオーディオ装置であって、タッチ操作によりタッチパネルから入力される軌跡データを検出する検出手段と、当該オーディオ装置の動作指示を行うコマンドと、軌跡データのパターンである軌跡データパターンとを対応付けて記憶する記憶手段と、前記記憶手段に記憶されたコマンド及び軌跡データパターンを参照し、前記タッチパネルから入力された軌跡データと一致する軌跡データパターンを検出するとともに、該軌跡データパターンに対応付けられたコマンドを読み出す読出手段と、前記読出手段により読み出されたコマンドを出力する出力手段と、を備え、前記出力手段から出力されたコマンドに基づいて当該オーディオ装置の動作制御を行うことを特徴としている。
さらに、本発明は、タッチパネルを用いて動作指示を行うオーディオ装置であって、タッチ操作によりタッチパネルから入力される入力開始位置及びリリース位置を検出する検出手段と、当該オーディオ装置の動作指示を行うコマンドと、前記入力開始位置及びリリース位置によるパターンとを対応付けて記憶する記憶手段と、前記記憶手段に記憶されたコマンド及びパターンを参照し、前記タッチパネルから入力されたパターンを検出するとともに、該パターンに対応付けられたコマンドを読み出す読出手段と、前記読出手段により読み出されたコマンドを出力する出力手段と、を備え、前記出力手段から出力されたコマンドに基づいて当該オーディオ装置の動作制御を行うことを特徴としている。
【手続補正５】
【補正対象書類名】明細書
【補正対象項目名】０００８
【補正方法】変更
【補正の内容】
【０００８】
また、本発明は、電子機器に対応して設けられ、タッチ操作によりタッチパネルから入力される軌跡データを検出する検出工程と、前記電子機器の動作指示を行うコマンドと対応付けて記憶された前記軌跡データのパターンである軌跡データパターンを参照し、前記タッチパネルから入力された軌跡データと一致する軌跡データパターンを検出するとともに、該軌跡データパターンに対応付けられたコマンドを読み出す読出工程と、前記読み出されたコマンドを前記電子機器に出力する出力工程と、を含むことを特徴としている。
さらに、本発明は、電子機器に対応して設けられ、タッチ操作によりタッチパネルから入力される入力開始位置及びリリース位置を検出する検出工程と、前記電子機器の動作指示を行うコマンドと対応付けて記憶された前記入力開始位置及びリリース位置によるパターンを参照し、前記タッチパネルから入力されたパターンを検出するとともに、該パターンに対応付けられたコマンドを読み出す読出工程と、前記読み出されたコマンドを前記電子機器に出力する出力工程と、を含むことを特徴としている。